(57)【特許請求の範囲】
【請求項１】
発注システムから送信された商品の識別子に応じて当該商品に対応する発注先となる商品販売者の受注システムを複数から選択し当該選択した受注システムに前記商品の注文情報を送信すると共に、前記発注システムから送信された画像又は前記発注システムにおいて選択された画像を前記商品に付加するために前記選択した受注システムに送信する仲介システムを備えた画像付加商品の取引システムにおいて、
前記仲介システムは、商品の代金支払い済みを表す固有のアクセスコードを当該商品の購入者の個人情報（当該商品の配送先情報を含む）に関連付けて記憶手段に予め登録する機能を備え、
前記発注システムは、前記商品の注文の際に通常は商品購入者に商品代金の決済を求めるが、前記アクセスコードが入力された場合は、当該入力されたアクセスコードを前記仲介システムに照会し、当該仲介システムにおいて一致するアクセスコードが登録されていた場合、前記商品代金の決済を求めずに前記商品の注文情報を前記仲介システムに送信する機能を備え、
前記仲介システムは、前記発注システムから送信された商品の識別子と前記記憶手段に予め登録された前記一致するアクセスコードに関連付けられた個人情報とを含む注文情報を前記選択した受注システムに送信する機能を備えた、
画像付加商品の取引システム。
【請求項２】
発注システムから送信された商品の識別子に応じて当該商品に対応する発注先となる商品販売者の受注システムを複数から選択し当該選択した受注システムに前記商品の注文情報を送信すると共に、前記発注システムから送信された画像又は前記発注システムにおいて選択された画像を前記商品に付加するために前記選択した受注システムに送信する仲介システムを備えた画像付加商品の取引システムにおいて、
前記仲介システムは、商品の代金支払い済みを表す固有のアクセスコードを当該商品の購入者の個人情報（当該商品の配送先情報を含む）に関連付けて記憶手段に予め登録し、
前記発注システムは、前記商品の注文の際に通常は商品購入者に商品代金の決済を求めるが、前記アクセスコードが入力された場合は、当該入力されたアクセスコードを前記仲介システムに照会し、当該仲介システムにおいて一致するアクセスコードが登録されていた場合、前記商品代金の決済を求めずに前記商品の注文情報を前記仲介システムに送信し、
前記仲介システムは、前記発注システムから送信された商品の識別子と前記記憶手段に予め登録された前記一致するアクセスコードに関連付けられた個人情報とを含む注文情報を前記選択した受注システムに送信する、
画像付加商品の取引方法。
【発明の詳細な説明】
【技術分野】
【０００１】
本発明は、画像付加商品の取引方法及びシステムに係り、特に、お土産やギフトに好適な画像付加商品の取引方法及びシステムに関する。
【背景技術】
【０００２】
旅行に行くと、多くの場合、出来合いの（既製品の）お土産やギフトを購入する。誰もが同じお土産を購入するので個性に欠ける。旅先で購入するお土産が購入者ごとに個性的な物になれば、帰ってからも現地へ行ってきた現実味や思い出が強く残るであろうし、また、個性的なギフトとしても喜ばれるであろう。
【０００３】
出願人は、かかる背景技術に関する公知文献の存在を知らない。
【発明の概要】
【発明が解決しようとする課題】
【０００４】
本発明は、かかる従来例の有する不都合を改善し、特に、購入者ごとに個性的なお土産、ギフトを提供することを課題とする。
【課題を解決するための手段】
【０００５】
この課題を解決するため、本発明では、購入者が撮った又は選んだ写真や画像を、お土産やギフトとなる商品に付加（印刷等）して販売する手段を備える。
まず、商品購入者が注文した商品の情報と当該商品の配送に必要な商品購入者の個人情報とを第１の記憶手段に関連付けて格納する。また、注文した商品と関連付けて商品購入者が撮影した画像又は選択した画像を商品付加画像として第２の記憶手段に格納する。受注手段は、第１の記憶手段から読み出された商品情報及び個人情報と，第２の記憶手段から読み出された商品付加画像とを関連付けて受信する。この受注手段が受信した商品付加画像を当該受注手段が関連付けて受信した商品情報に対応する商品に付加するために当該商品付加画像を印刷手段が印刷する。商品に商品付加画像を付加した物を個人情報に基づいて配送させる。
【発明の効果】
【０００６】
これによると、購入者ごとに異なる画像や写真の付加された、オリジナルの個性的な商品を提供することができる。
【発明を実施するための形態】
【０００７】
以下、本発明の実施形態を説明する。図１は、画像付加商品の取引システムの構成を示しており、商品購入者が操作するギフト発注システム１０と、商品販売者が利用するギフト受注システム２０と、両者の仲介処理を行うギフト仲介システム３０と、商品の発送を管理する発送管理システム４０とで構成される。
【０００８】
ギフト発注システム１０と、ギフト受注システム２０は、一つずつしか図示していないが、実際には、ギフト仲介システム３０に対して夫々複数が接続されてもよい。各システム間の通信は、通常、インターネット等のコンピュータネットワークを介して行われる。ただし、
【０００９】
ギフト発注システム１０、ギフト受注システム２０、ギフト仲介システム３０及び発送管理システム４０は、それぞれコンピュータ機器の要素を備えており、情報の入力装置と、情報の表示装置と、情報の記憶装置と、情報の処理装置と、情報の通信装置とを備えている（図示略）。
【００１０】
ギフト発注システム１０は、本実施形態において、旅行先などの出先に設置されており、いわゆるプリクラマシンのような専用機の外観をしている。このギフト発注システム１０は、カメラである撮像手段１１と、入力装置から商品の注文を受け付ける注文手段１２と、商品代金の決済を行う決済手段１３とを備えている。また、撮像手段１１によって撮像された写真等の画像情報と注文手段１２が受け付けた注文商品の情報とを関連付けてギフト仲介システム３０に通知する送信手段１４と、撮像手段１１で撮像した写真等の画像情報と注文手段１２が受け付けた注文商品の画像とを組合わせて、当該画像情報を付加した商品の出来上がりイメージを表示装置に表示する出来上がりイメージ手段１５とを備えている。記憶手段１６は、記憶装置に設けられた情報の記憶領域である。注文手段１２、送信手段１４及び出来上がりイメージ手段１５は、処理装置がプログラムを実行することにより実現される。本実施形態において、決済手段１３は、硬貨や紙幣を挿入する現金処理装置を備えている。
【００１１】
ここで、商品に画像を付加する例を挙げると、例えば、お土産のラベル等を商品購入者の顔写真や現地に関連深い写真にすることが考えられる。上記において、注文商品の情報に関連付ける画像情報は、写真に限らない。例えば、予め記憶手段に記憶された画像情報のうち入力手段の操作によって選択された画像情報を注文商品の情報に関連付けてもよい。当該画像情報は、詩等の文字を表した画像や、絵を表した画像でもよい。
【００１２】
また、ギフト受注システム２０は、画像情報と商品注文情報とを関連付けて受信する受注手段２１と、この受注手段２１が受信した画像情報を、商品に付加するための媒体（ラベルシール等）に印刷する印刷手段２２と、受注手段２１が受信した注文情報について一般的な注文処理を行う注文処理手段２３とを備えている。
【００１３】
印刷手段２２は、例えばラベルプリンタである。受注手段２１及び注文処理手段２３は、処理装置がプログラムを実行することによって実現される。
【００１４】
また、ギフト仲介システム３０は、ギフト発注システム１０から画像情報と注文情報とを関連付けて受信する受信手段３１と、受信した情報を蓄積する記憶手段３２と、画像情報と注文情報とを関連付けて当該注文に対応する商店のギフト受注システム２０に送信する発注手段３３とを備えている。
【００１５】
受信手段３１及び発注手段３３は、処理装置がプログラムを実行することによって実現される。記憶手段３２は、記憶装置に設けられた記憶領域であって、ギフト発注システム１０から発注可能な商品のカタログを格納している。商品カタログには、商品の価格と、商品画像と、商品ごとに対応するギフト受注システム２０の連絡先が収録されている。
【００１６】
次に、本実施形態の動作を説明する。例えば、旅行先でお土産やギフトを購入する商品購入者は、旅行先に設置されているギフト発注システム１０から商品を発注することができる。注文手段１２は、予めギフト仲介システム３０から取得し記憶手段１６に格納した商品カタログを表示装置に表示し、商品購入者に商品を選択させる。商品購入者が入力装置を操作して商品を選択すると、注文手段１２は、選択された商品を記憶手段１６に記憶する。
【００１７】
また、注文手段１２は、商品購入者の個人情報を入力するように表示装置にて促す。商品購入者は、入力装置を操作して、自己の氏名、住所、電話番号、商品の配送先、商品の注文数量等を入力する。注文手段１２は、入力された個人情報を先程選択された商品に関連付けて記憶手段１６に格納する。
【００１８】
次に、処理装置は、商品に付加するための画像を取得する。画像取得の方法としては、撮像手段１１によって撮影した画像情報を記憶手段１６に格納する方法、予め記憶手段１６に格納された画像を表示装置に表示し、表示した画像の中から商品購入者が画像を選択する操作を入力装置によって受け付け、選択された画像情報を記憶手段１６に格納する方法、商品購入者が所有するリムーバブルメディアから画像情報を読み込んで記憶手段１６に格納する方法、スキャナから読み込んだ写真等の画像情報を記憶手段１６に格納する方法などが考えられる。
【００１９】
このうち、予め記憶手段１６に用意した画像を商品購入者に選択させる方法の場合、ギフト発注システム１０の設置場所に応じて、選択対象の画像をご当地に関連深い画像となるように制御してもよい。具体的には、ギフト仲介システム３０の記憶手段３２に、土地の識別子と当該土地に関連深い画像とを関連付けて記憶しておくと共に、ギフト発注システム１０の設置場所に対応する土地の識別子をギフト発注システム１０の記憶手段１６に格納しておく。そして、ギフト発注システム１０の処理装置が、自機の土地の識別子を記憶手段１６から読み出してギフト仲介システム３０に送り、ギフト仲介システム３０の処理装置は、受信した土地識別子に対応する画像を記憶手段３２から検索してギフト発注システム１０に送り返す。ギフト発注システム１０は、自機の土地識別子に対応するとして検索された画像を受信し、記憶手段１６に格納する。このようにすると、商品購入者に選択させる画像をギフト発注システム１０の設置された各ご当地ごとに関連深い画像とすることができる。もっとも、ギフト発注システム１０の設置された各ご当地に関連深い画像を予め固定的にギフト発注システム１０の記憶手段１６に格納していてもよい。
また、ギフト発注システム１０は、入力手段の操作に応じて画像情報を加工する画像編集手段を備えていてもよい。画像編集手段は、処理装置がプログラムを実行することによって実現され、画像に対する文字や模様の付加及び削除等の加工を実行し、加工後の画像情報を記憶手段１６に格納する。この場合、送信手段１４は、画像編集手段による加工後の画像情報を注文情報に関連付けて送信する。
【００２０】
ギフト発注システム１０の処理装置は、このようにして商品購入者の意思に応じて取得した画像を、注文商品に関連付けて記憶手段１６に格納する。
【００２１】
次いで、出来上がりイメージ手段１５は、商品購入者が選択した商品の画像と、これに関連付いた当該商品に付加する画像とを記憶手段１６から読み出し、予めプログラムされたアルゴリズムによって商品画像と商品に付加する画像とを合成し、合成画像を生成し、当該合成画像を表示装置に表示する。
【００２２】
ここで、出来上がりイメージ手段１５は、ギフト発注システム１０に設けるのではなく、ギフト仲介システム３０に設けてもよい。この場合、注文商品の識別子と、当該商品に付加する画像とを関連付けてギフト発注システム１０からギフト仲介システム３０に送り、ギフト仲介システム３０に設けられた出来上がりイメージ手段が、注文商品の識別子に対応する商品画像を記憶手段３２に格納された商品カタログから読み出して合成画像を生成し、生成した合成画像をギフト仲介システム３０からギフト発注システム１０に送り、ギフト発注システム１０の表示装置に表示する、という手順をとる。
【００２３】
次いで、注文手段は、注文商品の価格（商品に画像を付加するオプション代金を含む）を記憶手段１６から読み出して表示装置に表示する。商品購入者は、価格と合成画像のイメージを確認し、問題がなければ、表示装置に表示された金額を決済手段１３に投入する。決済手段１３に必要な金銭が投入されると、送信手段１４は、注文商品の識別子と、商品購入者の個人情報と、当該商品に付加する画像とを記憶手段１６から読み出し、これらを関連付けた注文情報を含む注文要求をギフト仲介システム３０に送信する。また、ギフト発注システム１０は、商品購入者に支払い代金の領収証を発行する。
【００２４】
ギフト仲介システム３０の受信手段は、当該注文要求を受信し、当該注文要求に含まれる注文情報を記憶手段３２に格納する。発注手段３３は、記憶手段３２に蓄積された注文情報を一つずつ読み出し、読み出した注文情報に対応する発注先を記憶手段３２に格納された商品カタログから把握し、把握した発注先であるギフト受注システム２０に注文情報を送信する。
【００２５】
発注先となったギフト受注システム２０の受注手段２１は、注文情報を受信すると、当該注文情報に含まれる注文商品の識別子と、商品購入者の個人情報とを注文処理手段２３に渡し、一般的な商品の注文処理を実行する。また、受注手段２１は、注文情報に含まれる商品に付加する画像の情報を印刷手段２２に渡し、商品に付加するための媒体に画像を印刷させる。このとき、注文商品と商品に付加する画像との対応関係を保つために、媒体に画像を印刷すると共に対応する注文ナンバー等の注文識別子を印刷してもよい。
【００２６】
ギフト受注システム２０を備えた商店の店員は、注文のあった商品に、印刷された画像を付加し、梱包し、発送する。例えば、商品であるお土産品に、購入者の顔写真を印刷したシールラベルを貼り付け、梱包発送する。発送情報は、発送管理システム４０に入力され、商品の流通状況が管理されるようになっている。
【００２７】
以上説明した実施形態によれば、購入者ごとに異なる画像や写真の付加された、オリジナルの個性的なお土産やギフトを提供することができる。旅先で購入するお土産が購入者ごとに個性的な物となり、旅行から帰っても現地へ行ってきた現実味や思い出が強く残り、また、個性的なギフトとしても喜ばれる。
【００２８】
ここで、上記実施形態では、決済手段１３が現金処理装置を備えるとしたが、これに限らず、クレジットカードやキャッシュカードの読取装置を備え、外部の決済機関と通信することによって決済を完了する手段でもよく、また、プリペイドＩＣカードを非接触で読み取って決済を完了する手段でもよい。また、決済手段１３と注文手段１２を商店のＰＯＳシステムに搭載し、商品の注文と決済はＰＯＳシステムで行い、商品に付加する画像を別途ギフト発注システムで用意するという構成にしてもよい。
【００２９】
また、上記実施形態では、ギフト発注システム１０がいわゆるプリクラマシンのような専用機であることを想定したが、これに限らず、例えば、ギフト発注システム１０は、データ通信機能とカメラ撮影機能を備えた携帯電話端末でもよい。また、ギフト発注システム１０は、いわゆるパソコンでもよい。ギフト発注システム１０が、携帯電話端末やパソコンの場合、決済手段１３はギフト発注システム１０から分離し、外部の決済機関システムとすることができる。又は、代金の支払いは銀行振り込みや商品代引き等の方法で、商品の注文とは非同期で行ってもよい。また、ギフト発注システム１０が、携帯電話端末やパソコンの場合、ギフト仲介システム３０との通信は、ギフト仲介システム３０のサーバにアクセスしてWEBアプリケーションを利用する方法や、ギフト発注システム１０に専用のクライアントソフトをインストールして利用する方法等が考えられる。
【００３０】
また、上記実施形態では、商品の注文時に代金を支払う手順としているが、先に対価を支払い、あとから商品を受け取る仕組みとすることもできる。
【００３１】
例えば、団体旅行で旅行代金にお土産代も含めておき、各参加者にはギフト仲介システム３０にアクセスするための、参加者ごとに固有のアクセスコードを発行しておく。各参加者はギフト発注システム１０を操作し、上記実施形態と同様に商品を発注するが、ギフト発注システム１０に個人情報を入力する際に、上記アクセスコードを入力する。ギフト発注システムの処理装置は、入力装置から入力されたアクセスコードをギフト仲介システム３０に問い合わせる。ギフト仲介システム３０では、予め各参加者に発行したアクセスコードを記憶手段３２に登録しておき、ギフト発注システム１０からアクセスコードの問合せを受けると、一致するアクセスコードが記憶手段３２に登録されているかチェックし、登録の有無をギフト発注システム１０に通知する。
【００３２】
ギフト発注システム１０は、問い合わせの結果アクセスコードが登録されていれば、代金の決済を商品購入者に要求せずに、注文要求をギフト仲介システム３０に送信する。この場合、予め各旅行参加者の希望する商品や当該参加者の個人情報をアクセスコードに関連付けてギフト仲介システム３０の記憶手段３２に登録しておけば、各旅行参加者は、ギフト発注システム１０において商品を選択する操作や、アクセスコード以外の個人情報を入力する操作を省略することができる。
【００３３】
また、旅行団体で共通の１つの写真を撮影すると共に、当該団体に対して１つのアクセスコードを発行し、ギフト仲介システム３０には、１つのアクセスコードに対応して団体全員の個人情報を予め登録しておく。そして、代表者がギフト発注システム１０から上記アクセスコードを利用して団体全員分の商品発注を行うこともできる。この場合、ギフト仲介システム３０は、ギフト発注システム１０から受信した１つのアクセスコードに対応する団体全員の個人情報を記憶手段３２から読み出して、ギフト受注システム２０に送信する。
【００３４】
本システムは、旅行のお土産に限らず、お歳暮、お中元、結婚・出産祝いなど種々の商品に利用することができる。
【図面の簡単な説明】
【００３５】
【図１】本発明の一実施形態の構成を示すブロック図である。
【符号の説明】
【００３６】
１０  ギフト発注システム
１１  撮像手段
１２  注文手段
１３  決済手段
１４  送信手段
１５  出来上がりイメージ手段
１６  記憶手段
２０  ギフト受注システム
２１  受注手段
２２  印刷手段
２３  注文処理手段
３０  ギフト仲介システム
３１  受信手段
３２  記憶手段
３３  発注手段
４０  発送管理システム
【図１】
0005545558.tif 000002